(57)【要約】【課題】押込部を押込むことなく、収納形態における清掃具のアーム角度を所定の角度まで変更可能で有り、そして押込部を押込むことにより、アーム角度を所定の角度を超えて変更可能である清掃具を提供すること。【解決手段】回転部７が、回転制御用突起１３３を備える押込部１０１と、第１連結部１０７と、第２連結部１１５とを備えており、第２連結部１１５が、スライド部１３７を受け止める基部１４５と、側面部１３５と嵌合することによりアーム角度θを固定する回転制御用壁部１４７とを備えている、複数の回転制御用窪み１４３を備えており、収納形態において、第２連結部１１５が、回転制御用突起１３３と嵌合している第１回転制御用壁部１４７ａに、押込部１０１を押込むことなく、スライド部１３７をスライドさせることにより、回転制御用突起１３３を、第１回転制御用窪み１４３ａから第２回転制御用窪み１４３ｂに移動させることができる開放方向傾斜部１５５を備えている清掃具１。【選択図】図９
2019162383.tif 000002
【特許請求の範囲】
【請求項１】
第１アーム部と、第２アーム部と、回転部と、第２アーム部に連結された清掃体取付部とを備えており、収納形態をとることが可能な清掃具であって、
前記回転部が、回転軸線と、開放方向を含む回転方向と、前記回転軸線に沿った深さ方向とを有し、
前記回転部が、押込部と、第１アーム部及び第２アーム部の一方と連結している、２以上の第１連結部であって、そのそれぞれが第１軸孔を備えているものと、それらの他方と連結している第２連結部であって、第２軸孔を備えているものとを備えており、
前記押込部が、第１アーム部及び第２アーム部のアーム角度を固定する回転制御用突起を備えているとともに、第１軸孔及び第２軸孔を貫通しており、
前記回転制御用突起が、前記回転軸線と直交する方向に突出し且つ前記回転軸線の方向に延びる側面部と、前記深さ方向の深い側の端部に配置されたスライド部とを備えており、
第２連結部が、前記回転方向に沿って配置された、複数の回転制御用窪みであって、そのそれぞれが、前記回転制御用突起の前記スライド部を受け止めるように構成された基部と、前記回転制御用突起の前記側面部と嵌合することにより前記アーム角度を固定する回転制御用壁部とを備えているものを備えており、
前記回転部が、前記押込部を、前記深さ方向に押込むことにより、前記回転制御用突起の前記側面部と、前記回転制御用壁部との嵌合が外れるように構成されており、
前記収納形態において、第２連結部が、前記複数の回転制御用窪みのうち、前記回転制御用突起と嵌合している第１回転制御用窪みの第１回転制御用壁部に、前記押込部を押込むことなく、前記回転制御用突起の前記スライド部をスライドさせることにより、前記回転制御用突起を、第１回転制御用窪みから、第１回転制御用窪みの、前記開放方向に隣接する第２回転制御用窪みに移動させることができる開放方向傾斜部を備えている、
前記清掃具。
【請求項２】
前記開放方向傾斜部が、第１回転制御用窪みの前記開放方向側の端部に少なくとも配置されており、前記端部における前記開放方向傾斜部が、前記深さ方向において、第１回転制御用窪みの第１基部の深さ位置と同一の深さ位置又はそれよりも浅い深さ位置に配置されている、請求項１に記載の清掃具。
【請求項３】
前記回転制御用突起の前記側面部が、前記回転軸線から最も遠い遠位部を備えており、前記回転制御用壁部が、前記遠位部に対応する遠位対応部を備えており、前記開放方向傾斜部が、第１回転制御用窪みの第１回転制御用壁部の第１遠位対応部と、第２回転制御用窪みの第２回転制御用壁部の第２遠位対応部との間に配置されている、請求項１又は２に記載の清掃具。
【請求項４】
前記開放方向傾斜部が、第１遠位対応部に配置されており、そして第１遠位対応部における前記開放方向傾斜部が、前記深さ方向において、第１回転制御用窪みの第１基部の深さ位置と同一の深さ位置又はそれよりも浅い深さ位置に配置されている、請求項３に記載の清掃具。
【請求項５】
第２連結部が、前記複数の回転制御用窪みを５以上備えており、前記複数の回転制御用窪みが、前記回転方向に沿って所定の間隔で配置されている、請求項１〜４のいずれか一項に記載の清掃具。
【請求項６】
第２回転制御用窪みの第２回転制御用壁部が、前記押込部を押込むことなく、前記回転制御用突起の前記スライド部をスライドさせることにより、前記回転制御用突起を、第２回転制御用窪みから第１回転制御用窪みに移動させることができる閉鎖方向傾斜部を備えている、請求項１〜５のいずれか一項に記載の清掃具。
【請求項７】
前記押込部が、複数の前記回転制御用突起を備えている、請求項１〜６のいずれか一項に記載の清掃具。
【請求項８】
前記押込部が、前記回転軸線の方向において、頂部と、底部と、前記頂部及び底部を連結する連結軸から構成され、前記押込部が、前記深さ方向に、初期深さ位置から切替え深さ位置まで押込可能であり、
２以上の第１連結部が、最も浅い深さ位置に配置された頂部側第１連結部であって、頂部側把持部を備えているものと、最も深い深さ位置に配置された底部側第１連結部であって、底部側把持部を備えているものとを含み、前記底部側把持部が、前記深さ方向において、前記切替え深さ位置に配置された前記押込部の前記底部と同一の深さ位置又はそれよりも深い深さ位置に配置されるように構成されている、請求項１〜７のいずれか一項に記載の清掃具。
【請求項９】
前記押込部が、前記アーム角度を変更する際に、前記頂部側第１連結部及び底部側第１連結部とともに回転するように構成されている、請求項８に記載の清掃具。
【請求項１０】
前記頂部側第１連結部及び底部側第１連結部が、第２アーム部に連結されており、第２連結部が、第１アーム部に連結されている、請求項８又は９に記載の清掃具。
【請求項１１】
前記回転部が、前記深さ方向において、前記底部より深さの深い領域に、前記押込部とともに押込まれない部材を備えていない、請求項８〜１０のいずれか一項に記載の清掃具。
【請求項１２】
前記底部側把持部の、前記回転軸線と直交する方向における内径が、任意の方向において、２０ｍｍ以下である、請求項８〜１１のいずれか一項に記載の清掃具。
【請求項１３】
前記頂部が、前記頂部の周縁に配置された周縁部と、前記周縁部に囲まれ且つ前記周縁部から、前記底部と反対方向に突出している突出部とを備えており、前記頂部側把持部が、前記深さ方向において、前記初期深さ位置における前記押込部の前記突出部よりも深い深さ位置に配置されるように構成されている、請求項８〜１２のいずれか一項に記載の清掃具。
【請求項１４】
前記頂部側把持部が、前記深さ方向において、前記初期深さ位置における前記押込部の前記周縁部と同一の深さ位置又はそれよりも浅い深さ位置に配置されるように構成されている、請求項１３に記載の清掃具。
【発明の詳細な説明】
【技術分野】
【０００１】
本開示は、清掃具に関する。
【背景技術】
【０００２】
使い捨ての清掃体を清掃体取付部に取付け、ホコリ等の拭き清掃を行う清掃具が市販されている。例えば、特許文献１には、壁や天井のような平面部分であっても、家具の表面や上面あるいは置物の表面のような細かい部分であっても、柄を必要な角度に調節固定して片手で手軽に払掃清掃することができ、しかも、角度調節作業を非常に簡単に行うことができる小形で操作性に優れた角度調節式清掃具が記載されている。
【０００３】
特許文献１に記載の角度調節式清掃具は、以下の構成を有する。
握持した状態で両端が掌から若干突出する程度の長さを有する短柱状の把手部材と、該把手部材の先端に連結機構を介して角度調節自在に連結された払掃材用取付部材と、該取付部材の先端に着脱自在に取り付けられた払掃材とを含み、上記取付部材が、基端部側に位置する短尺の第１部分と、該第１部分の先端に折れ曲がった状態に連なる長尺の第２部分と、該第２部分に形成された払掃材取付部とからなり、上記連結機構が、取付部材を回動可能な状態と特定の角度に固定された状態とに切換操作するための操作子を有していて、該操作子が、把手部材を片手で握持した状態で親指で操作可能な位置に設けられている、ことを特徴とする角度調節式清掃具。
【先行技術文献】
【特許文献】
【０００４】
【特許文献１】特開２００１−７８９４２号公報
【発明の概要】
【発明が解決しようとする課題】
【０００５】
特許文献１に記載の角度調節式清掃具は、連結軸１３を、取付部材５の回転用連結部１１と、把手部材４の第１支持用連結部１０ａ及び第２支持用連結部１０ｂとの位置から、連結軸１３の軸線方向に押込むことにより、取付部材５を回動可能な状態と特定の角度に固定された状態とに切換操作する機構を有する。換言すると、特許文献１に記載の角度調節式清掃具は、連結軸１３を動かさない限り、取付部材５を回動可能な状態にすることができない。従って、特許文献１に記載の角度調節式清掃具を使用する使用者は、取付部材５を回動可能な状態にするために連結軸１３を押込むことをに気づかず、連結軸１３を押込むことなく取付部材５を回動させてしまい、角度調節式清掃具を破損させる恐れがあった。
【０００６】
従って、本開示は、押込部を押込むことなく、収納形態における清掃具のアーム角度を所定の角度まで変更可能であり、そして押込部を押込むことにより、アーム角度を所定の角度を超えて変更可能である清掃具を提供することを目的とする。
【課題を解決するための手段】
【０００７】
本開示者らは、第１アーム部と、第２アーム部と、回転部と、第２アーム部に連結された清掃体取付部とを備えており、収納形態をとることが可能な清掃具であって、上記回転部が、回転軸線と、開放方向を含む回転方向と、上記回転軸線に沿った深さ方向とを有し、上記回転部が、押込部と、第１アーム部及び第２アーム部の一方と連結している、２以上の第１連結部であって、そのそれぞれが第１軸孔を備えているものと、それらの他方と連結している第２連結部であって、第２軸孔を備えているものとを備えており、上記押込部が、第１アーム部及び第２アーム部のアーム角度を固定する回転制御用突起を備えているとともに、第１軸孔及び第２軸孔を貫通しており、上記回転制御用突起が、上記回転軸線と直交する方向に突出し且つ上記回転軸線の方向に延びる側面部と、上記深さ方向の深い側の端部に配置されたスライド部とを備えており、第２連結部が、上記回転方向に沿って配置された、複数の回転制御用窪みであって、そのそれぞれが、上記回転制御用突起の上記スライド部を受け止めるように構成された基部と、上記回転制御用突起の上記側面部と嵌合することにより上記アーム角度を固定する回転制御用壁部とを備えているものを備えており、上記回転部が、上記押込部を、上記深さ方向に押込むことにより、上記回転制御用突起の上記側面部と、上記回転制御用壁部との嵌合が外れるように構成されており、上記収納形態において、第２連結部が、上記複数の回転制御用窪みのうち、上記回転制御用突起と嵌合している第１回転制御用窪みの第１回転制御用壁部に、上記押込部を押込むことなく、上記回転制御用突起の上記スライド部をスライドさせることにより、上記回転制御用突起を、第１回転制御用窪みから、第１回転制御用窪みの、上記開放方向に隣接する第２回転制御用窪みに移動させることができる開放方向傾斜部を備えている清掃具を見出した。
【発明の効果】
【０００８】
本開示の清掃具は、押込部を押込むことなく、収納形態における清掃具のアーム角度を所定の角度まで変更可能であり、そして押込部を押込むことにより、アーム角度を所定の角度を超えて変更可能である。
【図面の簡単な説明】
【０００９】
【図１】図１は、清掃具１の収納形態における側面図である。
【図２】図２は、押込部１０１が初期深さ位置：Ｄ0に配置された回転部７の、図１のＩＩ−ＩＩ断面における断面図である。
【図３】図３は、押込部１０１を切替え深さ位置：ＤCまで押込んだ回転部７の、図１のＩＩ−ＩＩ断面に相当する断面図である。
【図４】図４は、押込部１０１を構成する頂部側パーツ１２１を説明するための図である。
【図５】図５は、押込部１０１を構成する底部側パーツ１２７を説明するための図である。
【図６】図６は、第１連結部１０７を説明するための図である。
【図７】図７は、第２連結部１１５を説明するための図である。
【図８】図８は、第２連結部１１５を説明するための図である。
【図９】図９は、アーム角度を０°から４５°に変更させる際の、押込部１０１の底部側パーツ１２７と、第２連結部１１５との関係を説明するための図である。
【図１０】図１０は、アーム角度を０°から４５°に変更させる際の、押込部１０１の底部側パーツ１２７と、第２連結部１１５との関係を説明するための図である。
【図１１】図１１は、アーム角度を０°から４５°に変更させる際の、押込部１０１の底部側パーツ１２７と、第２連結部１１５との関係を説明するための図である。
【図１２】図１２は、清掃具１の収納形態から清掃形態への変形の手順を説明するための図である。
【図１３】図１３は、清掃具１の収納形態から清掃形態への変形の手順を説明するための図である。
【発明を実施するための形態】
【００１０】
［定義］
・清掃具に関する「収納形態」及び「清掃形態」
本明細書では、清掃具に関する「収納形態」は、清掃具を保管する際に採用される形態を意味する。一般的には、収納形態における清掃具は、清掃具の伸長しうる部分を全て収縮させ（収納形態にし）、アーム角度を最小にした状態にある。
本明細書では、清掃具に関する「清掃形態」は、清掃具を使用する際に採用される形態を意味する。一般的には、清掃形態における清掃具は、アーム角度を、清掃すべき箇所に応じて変更し、清掃具の伸長しうる部分を、清掃すべき箇所に応じて伸長させた状態（伸縮可能な部材においては、伸長形態を含む）にある。なお、使用者と近い部分を清掃する場合には、清掃具の伸長しうる部分を伸長させずに使用する場合もある。
【００１１】
・清掃具（回転部）に関する「アーム角度」
本明細書では、清掃具（回転部）に関する「アーム角度」は、第１アーム部の第１アーム部軸線と、第２アーム部の第２アーム部軸線との間の角度を意味する。
【００１２】
・「基端」及び「先端」
本明細書では、「基端」及び「先端」は、それぞれ、清掃具の、第１アーム部側の端縁及び清掃体取付部側の端縁を意味する。
・「内方」及び「外方」
本明細書では、「内方」及び「外方」は、それぞれ、軸線を有する対象物において、軸線に近づく方向及び軸線から遠ざかる方向を意味する。なお、内方及び外方は、それぞれ、軸線と直交する方向であることができ、そして軸線と交差する方向であることができる。
【００１３】
・「外面断面形状」及び「内面断面形状」
本明細書では、「外面断面形状」は、軸線及び外形を有する対象物において用いられる用語であり、「外面断面形状」は、軸線と直交する平面と、対象物の外形とが交差する部分の形状を意味する。なお、上記外面断面形状は、対象物が空隙である場合、例えば、中空部等にも用いられる。
本明細書では、「内面断面形状」は、軸線及び内形（空隙）を有する対象物において用いられる用語であり、「内面断面形状」は、軸線と直交する平面と、対象物の内形とが交差する部分の形状を意味する。
【００１４】
・回転部の構成部材に関する「深さ方向」及び「深さ位置」について
本明細書では、回転部の構成部材に関し、回転部の回転軸線の方向のうち、押込部の頂部から底部に向かう方向を、「深さ方向」と称する。また、回転部の構成部材に関して、一方が頂部側に存在し、他方が底部側に存在する場合に、一方が他方よりも浅い深さ位置に配置されていると称し、そして他方が一方よりも深い深さ位置に配置されていると称する。
【００１５】
・押込部の「初期深さ位置」、「切替え深さ位置」及び「最大深さ位置」、並びに回転部に関する「回転不可能状態」及び「回転可能状態について」
本明細書では、押込部を深さ方向に押込んでいない状態にある場合における、頂部の最も浅い深さ位置を、押込部の「初期深さ位置」と称し、押込部が深さ方向に最大限押し込んだ状態にある場合における、頂部の最も浅い深さ位置を、押込部の「最大深さ位置」と称する。また、回転部が、回転不可能状態から回転可能状態に切り替わる際の頂部の最も浅い深さ位置を、押込部の「切替え深さ位置」と称する。切替え深さ位置と、最大深さ位置とは、同一の深さ位置であってもよい。
押込部の初期深さ位置：Ｄ0（＝０）、切替え深さ位置：ＤC、及び最大深さ位置：ＤMAXとの間には、以下の関係がある。
Ｄ0＜ＤC≦ＤMAX
また、回転部は、押込部の深さ位置：Ｄxが、Ｄ0≦ＤX＜ＤCの関係を満たす場合に、回転部が回転不可能状態にあり、そしてＤC≦ＤX≦ＤMAXにある場合に、回転部が回転可能状態にある。
【００１６】
本開示は、以下の態様に関する。
［態様１］
第１アーム部と、第２アーム部と、回転部と、第２アーム部に連結された清掃体取付部とを備えており、収納形態をとることが可能な清掃具であって、
上記回転部が、回転軸線と、開放方向を含む回転方向と、上記回転軸線に沿った深さ方向とを有し、
上記回転部が、押込部と、第１アーム部及び第２アーム部の一方と連結している、２以上の第１連結部であって、そのそれぞれが第１軸孔を備えているものと、それらの他方と連結している第２連結部であって、第２軸孔を備えているものとを備えており、
上記押込部が、第１アーム部及び第２アーム部のアーム角度を固定する回転制御用突起を備えているとともに、第１軸孔及び第２軸孔を貫通しており、
上記回転制御用突起が、上記回転軸線と直交する方向に突出し且つ上記回転軸線の方向に延びる側面部と、上記深さ方向の深い側の端部に配置されたスライド部とを備えており、
第２連結部が、上記回転方向に沿って配置された、複数の回転制御用窪みであって、そのそれぞれが、上記回転制御用突起の上記スライド部を受け止めるように構成された基部と、上記回転制御用突起の上記側面部と嵌合することにより上記アーム角度を固定する回転制御用壁部とを備えているものを備えており、
上記回転部が、上記押込部を、上記深さ方向に押込むことにより、上記回転制御用突起の上記側面部と、上記回転制御用壁部との嵌合が外れるように構成されており、
上記収納形態において、第２連結部が、上記複数の回転制御用窪みのうち、上記回転制御用突起と嵌合している第１回転制御用窪みの第１回転制御用壁部に、上記押込部を押込むことなく、上記回転制御用突起の上記スライド部をスライドさせることにより、上記回転制御用突起を、第１回転制御用窪みから、第１回転制御用窪みの、上記開放方向に隣接する第２回転制御用窪みに移動させることができる開放方向傾斜部を備えている、
上記清掃具。
【００１７】
上記清掃具は、所定の開放方向傾斜部を備えるため、押込部を押込むことなく、収納形態における清掃具のアーム角度を所定の角度（第１回転制御用窪みと、第２回転制御用窪みとの間の角度）まで変更可能であるとともに、押込部を押込むことにより、アーム角度を所定の角度を超えて変更可能である。
また、それにより、使用者が、収納形態における清掃具を、アーム角度が所定の角度になるまで、回転部の押込部を押込むことなく、清掃具を簡易に変形させることができる。また、収納形態における清掃具を、アーム角度が所定の角度になるまで変形させた際に、押込部の往復運動、スライド部及び基部の間の接触音等が生じるため、使用者に、アーム角度を変更させるためには、回転部の押込部を押込む必要が有ることを気づかせることができる。
【００１８】
［態様２］
上記開放方向傾斜部が、第１回転制御用窪みの上記開放方向側の端部に少なくとも配置されており、上記端部における上記開放方向傾斜部が、上記深さ方向において、第１回転制御用窪みの第１基部の深さ位置と同一の深さ位置又はそれよりも浅い深さ位置に配置されている、態様１に記載の清掃具。
【００１９】
上記清掃具では、深さ方向において、開放方向傾斜部及び第１基部の深さ位置が所定の関係を満たすため、収納形態における清掃具のアーム角度を、押込部を押込むことなく所定の角度まで簡易に変更することができる。
【００２０】
［態様３］
上記回転制御用突起の上記側面部が、上記回転軸線から最も遠い遠位部を備えており、上記回転制御用壁部が、上記遠位部に対応する遠位対応部を備えており、上記開放方向傾斜部が、第１回転制御用窪みの第１回転制御用壁部の第１遠位対応部と、第２回転制御用窪みの第２回転制御用壁部の第２遠位対応部との間に配置されている、態様１又は２に記載の清掃具。
【００２１】
上記清掃具では、開放方向傾斜部が、第１遠位対応部と、第２遠位対応部との間に配置されているので、収納形態における清掃具のアーム角度を、押込部を押込むことなく所定の角度まで簡易に変更することができる。
【００２２】
［態様４］
上記開放方向傾斜部が、第１遠位対応部に配置されており、そして第１遠位対応部における上記開放方向傾斜部が、上記深さ方向において、第１回転制御用窪みの第１基部の深さ位置と同一の深さ位置又はそれよりも浅い深さ位置に配置されている、態様３に記載の清掃具。
【００２３】
上記清掃具では、深さ方向において、開放方向傾斜部及び第１基部の深さ位置が所定の関係を満たすため、収納形態における清掃具のアーム角度を、押込部を押込むことなく所定の角度まで簡易に変更することができる。
【００２４】
［態様５］
第２連結部が、上記複数の回転制御用窪みを５以上備えており、上記複数の回転制御用窪みが、上記回転方向に沿って所定の間隔で配置されている、態様１〜４のいずれか一項に記載の清掃具。
【００２５】
上記清掃具では、第２連結部が、所定の角度で配置された、５以上の回転制御用窪みを備えているので、所定の位置にある清掃具（回転制御用突起が第２回転制御用窪みに配置されている清掃具）が、収納形態に戻りにくくなる。従って、上記清掃具は、手前が高く且つ奥が低い清掃面（特に、高所の清掃面）、例えば、上方に向かって開放している間接照明のランプシェード等を清掃しやすい。
【００２６】
［態様６］
第２回転制御用窪みの第２回転制御用壁部が、上記押込部を押込むことなく、上記回転制御用突起の上記スライド部をスライドさせることにより、上記回転制御用突起を、第２回転制御用窪みから第１回転制御用窪みに移動させることができる閉鎖方向傾斜部を備えている、態様１〜５のいずれか一項に記載の清掃具。
【００２７】
上記清掃具は、所定の閉鎖方向傾斜部を備えているので、押込部を押込むことなく、清掃具を、所定の位置（第２回転制御用窪みの位置）から折りたたみ形態まで閉鎖可能である。従って、使用者が、清掃具を折り畳む際に、第１アーム部及び第２アーム部を強く把持する必要がなく、第１アーム部及び第２アーム部の間に指を挟みにくい。
【００２８】
［態様７］
上記押込部が、複数の上記回転制御用突起を備えている、態様１〜６のいずれか一項に記載の清掃具。
【００２９】
上記清掃具は、上記押込部が複数の回転制御用突起を備えているので、清掃中に清掃具が、清掃すべき箇所、例えば、壁等に接触し、回転部に力が加わった場合であっても、アーム角度が変わりにくい。
【００３０】
［態様８］
上記押込部が、上記回転軸線の方向において、頂部と、底部と、上記頂部及び底部を連結する連結軸から構成され、上記押込部が、上記深さ方向に、初期深さ位置から切替え深さ位置まで押込可能であり、
２以上の第１連結部が、最も浅い深さ位置に配置された頂部側第１連結部であって、頂部側把持部を備えているものと、最も深い深さ位置に配置された底部側第１連結部であって、底部側把持部を備えているものとを含み、上記底部側把持部が、上記深さ方向において、上記切替え深さ位置に配置された上記押込部の上記底部と同一の深さ位置又はそれよりも深い深さ位置に配置されるように構成されている、態様１〜７のいずれか一項に記載の清掃具。
【００３１】
上記清掃具では、回転部の構成部材の点数が少なく、回転部が簡易な構造を有する。
また、上記清掃具では、底部側第１連結部の底部側把持部が、深さ方向において、切替え深さ位置に配置された押込部の底部と同一の深さ位置又はそれよりも深い深さ位置（以下、「所定の深さ位置」と称する場合がある）に配置されるように構成されているので、使用者が、回転部を、回転軸線の方向の両端から把持し、押込部をあたかも押し込むように操作して、回転部の回転不可能状態及び回転可能状態を簡易に切替えることができる。
【００３２】
具体的には、使用者は、例えば、右手の親指の指先を、押込部の頂部及び頂部側把持部に添え、そして右手の人差し指を、底部側第１連結部の底部側把持部に添えた状態で、親指の指先で押込部の頂部を押込み、押込部を押込み、回転部を回転不可能状態から回転可能状態に切替えることができる。底部側把持部は、所定の深さ位置に配置されているので、人差し指は、底部により押し戻されにくい。従って、使用者は、押込部を、あたかも、押し込むように操作できる。
さらに、上記清掃具では、回転部の回転軸線の方向の両端から、回転部を直接把持できるので、回転部を回転可能状態に切替え、回転させる際に、アーム部、すなわち、第１アーム部及び第２アーム部に、それらの軸線と直交する方向の力が加わりにくく、アーム部が破損しにくい。
【００３３】
［態様９］
上記押込部が、上記アーム角度を変更する際に、上記頂部側第１連結部及び底部側第１連結部とともに回転するように構成されている、態様８に記載の清掃具。
上記清掃具では、アーム角度を変更する際に、押込部と、頂部側第１連結部及び底部側第１連結部とが連動して回転する。すなわち、アーム角度を変更する際に、回転部の頂部側部分と、底部側部分とが、連動して回転することになる。従って、使用者が、押込部の頂部側部分及び底部側部分を把持しながら、押込部を押込んでアーム角度を変更する際に、使用者の指が、押込部の頂部側部分及び底部側部分とともに回転するので、使用者の指が、連動して回転しない部材に引っ張られにくい。なお、押込部と、頂部側第１連結部及び底部側第１連結部とが連動せずに別個に回転する場合には、使用者の指が、別個に回転するそれらの部材に引っ張られやすくなる。
【００３４】
［態様１０］
上記頂部側第１連結部及び底部側第１連結部が、第２アーム部に連結されており、第２連結部が、第１アーム部に連結されている、態様８又は９に記載の清掃具。
【００３５】
上記清掃具では、頂部側第１連結部及び底部側第１連結部が、第２アーム部に連結されており、第２連結部が、第１アーム部に連結されているので、頂部側第１連結部の頂部側把持部及び底部側第１連結部の底部側把持部が、第２アーム部と一緒に回転する。従って、使用者が、第２アーム部を把持している手で回転部を回転可能状態に保持しながら、第２アーム部を回転させた場合に、頂部側把持部及び底部側把持部が第２アーム部と一緒に回転し、第２アーム部を把持している手が頂部側把持部及び底部側把持部による摩擦を受けにくい。
【００３６】
具体的には、使用者が、例えば、右手の親指の指先を押込部の頂部及び頂部側把持部に添え、右手の人差し指を底部側把持部に添え、右手の残りの部分で第２アーム部を把持した状態で、親指の指先で押込部の頂部を押込み、押込部を押込み、回転部を回転不可能状態から回転可能状態に切替えつつ、第２アーム部を回転させると、頂部側把持部及び底部側把持部が第２アーム部、ひいては右手とともに回転するので、右手の親指及び人差し指が、頂部側把持部及び底部側把持部との間で摩擦を受けにくい。
【００３７】
［態様１１］
上記回転部が、上記深さ方向において、上記底部より深さの深い領域に、上記押込部とともに押込まれない部材を備えていない、態様８〜１０のいずれか一項に記載の清掃具。
【００３８】
上記清掃具では、回転部が、深さ方向において、底部より深さの深い領域に、押込部とともに押込まれない部材、例えば、蓋部を備えていないので、回転部の構造が単純であり、製造等の観点から優れる。また、上記清掃具は、底部より深さの深い領域に押込部とともに押込まれない部材を備えていないにもかかわらず、押込部を、あたかも、押し込むように操作できる。
【００３９】
［態様１２］
上記底部側把持部の、上記回転軸線と直交する方向における内径が、任意の方向において、２０ｍｍ以下である、態様８〜１１のいずれか一項に記載の清掃具。
【００４０】
上記清掃具では、底部側把持部が所定の内径を有するので、手の小さな女性、子供等（以下「女性等」と称する）が、親指の指先、人差し指等で、回転部を把持した場合であっても、女性等の指が、押込部の底部、特に、初期深さ位置又は切替え深さ位置にある押込部の底部に触れにくくなるので、使用者が、押込部を、あたかも、押し込むように操作しやすくなる。
【００４１】
［態様１３］
上記頂部が、上記頂部の周縁に配置された周縁部と、上記周縁部に囲まれ且つ上記周縁部から、上記底部と反対方向に突出している突出部とを備えており、上記頂部側把持部が、上記深さ方向において、上記初期深さ位置における上記押込部の上記突出部よりも深い深さ位置に配置されるように構成されている、態様８〜１２のいずれか一項に記載の清掃具。
【００４２】
上記清掃具では、頂部側把持部が、深さ方向において、初期深さ位置における押込部の突出部よりも深い深さ位置に配置されるように構成されているので、使用者が、押込部の突出部を押し込みやすい。
【００４３】
［態様１４］
上記頂部側把持部が、上記深さ方向において、上記初期深さ位置における上記押込部の上記周縁部と同一の深さ位置又はそれよりも浅い深さ位置に配置されるように構成されている、態様１３に記載の清掃具。
【００４４】
上記清掃具では、頂部側把持部が、深さ方向において、初期深さ位置における押込部の頂部の周縁部と同一の深さ位置か、又は浅い深さ位置に配置されるように構成されているので、使用者が、押込部の頂部を押し込む際に、使用者の指が、頂部側把持部と、押込部との間に巻き込まれにくい。
【００４５】
本開示の清掃具について、以下、詳細に説明する。
図１〜図１１は、本開示の実施形態の１つ（以下、「第１実施形態」と称する）に従う清掃具１を説明するための図である。図１２及び図１３は、第１実施形態に従う清掃具１の使用方法を説明するための図である。
【００４６】
図１は、清掃具１の、収納形態（収縮形態）における側面図である。第１実施形態に従う清掃具１は、把持部３を有する第１アーム部５と、第２アーム部９と、第１アーム部５及び第２アーム部９を連結し且つアーム角度θを変更可能である回転部７と、第２アーム部９に連結され、清掃体（図示せず）を取付けるための清掃体取付部１１とを備えている。清掃具１は、第１アーム部５の、回転部７から最も遠い位置に存在する基端１５と、清掃体取付部１１の、回転部７から最も遠い位置に存在する先端１３とを有する。
なお、清掃体取付部は、特開２０１４−１６８６４６号に記載されるものと同様の公知の構造を有するため、説明を省略する。
図１に示されるように、清掃具１は、４５°間隔で、０°から２７０°までアーム角度θを変更することができる。
【００４７】
図２〜図１１は、回転部７を説明するための図である。具体的には、図２は、押込部１０１が初期深さ位置：ＤOに配置された回転部７の、図１のＩＩ−ＩＩ断面における断面図である。図３は、押込部１０１を切替え深さ位置：ＤCまで押込んだ回転部７の、図１のＩＩ−ＩＩ断面に相当する断面図である。
図４は、押込部１０１を構成する頂部側パーツ１２１を説明するための図である。具体的には、図４（ａ）〜図４（ｄ）は、頂部側パーツ１２１を、図１のＩＩ−ＩＩ断面の参照方向と同一方向から参照した場合における、それぞれ、平面図［図４（ａ）］、正面の断面図［図４（ｂ）］、底面図［図４（ｃ）］、及び左側面の断面図［図４（ｄ）］である。
【００４８】
図５は、押込部１０１を構成する底部側パーツ１２７を説明するための図である。具体的には、図５（ａ）〜図５（ｄ）は、底部側パーツ１２７を、図１のＩＩ−ＩＩ断面の参照方向と同一方向から参照した場合における、それぞれ、平面図［図５（ａ）］、正面の断面図［図５（ｂ）］、底面図［図５（ｃ）］、及び右側面の断面図［図５（ｄ）］である。また、図５（ｅ）は、底部側パーツ１２７の斜視図である。
【００４９】
図６は、第１連結部１０７を説明するための図である。具体的には、図６（ａ）〜図６（ｃ）は、第１連結部１０７を、図１のＩＩ−ＩＩ断面の参照方向と同一方向から参照した場合における、それぞれ、平面図［図６（ａ）］、正面図［図６（ｂ）］、及び底面図［図６（ｃ）］である。
【００５０】
図７及び図８は、第２連結部１１５を説明するための図である。具体的には、図７（ａ）〜図７（ｃ）は、第２連結部１１５を、図１のＩＩ−ＩＩ断面の参照方向と同一方向から参照した場合における、それぞれ、正面図［図７（ａ）］、断面図［図７（ｂ）］、及び底面図［図７（ｃ）］である。また、図７（ｄ）は、第２連結部１１５の斜視図である。図８は、図７（ｄ）を拡大し、上下を逆にしたもの、すなわち、深さ方向ＤＤの下方から第２連結部１１５を観察した図である。
図９〜図１１は、アーム角度を０°から４５°に変更させる際の、押込部１０１の底部側パーツ１２７と、第２連結部１１５との関係を説明するための図である。
図１２及び図１３は、清掃具１の収納形態から清掃形態への変形の手順を説明するための図である。
【００５１】
回転部７は、第１アーム部５及び第２アーム部９を連結し且つアーム角度θを変更可能である。回転部７は、回転軸線ＲＡと、回転軸線ＲＡに沿って回転する回転方向ＲＤと、回転軸線ＲＡの延びる方向に沿った深さ方向ＤＤとを有する。なお、深さ方向ＤＤは、押込部１０１を押込む方向である。また、回転方向ＲＤは、開放方向ＯＤと、閉鎖方向ＣＤとに区画される。回転部７は、頂部１０３及び底部１０５を有する押込部１０１と、第２アーム部９と連結している２つの第１連結部１０７であって、そのそれぞれが、第１軸孔１０９を備えるものと、第１アーム部５と連結している第２連結部１１５であって、第２軸孔１１７を備えるものとを備えている。第１軸孔１０９及び第２軸孔１１７のそれぞれは、回転軸線ＲＡと直交する方向の断面の形状が、回転軸線ＲＡ上に中心が存在する円形である。
【００５２】
２つの第１連結部１０７は、２つの第１連結部１０７及び第２連結部１１５のうち、最も浅い深さ位置に配置された頂部側第１連結部１１１と、最も深い深さ位置に配置された底部側第１連結部１１３とから構成される。
【００５３】
押込部１０１は、頂部１０３及び底部１０５に加え、頂部１０３及び底部１０５を連結する連結軸１１９とを備えている。
押込部１０１は、頂部１０３、頂部側筒状部１２３及び嵌合用突起１２５を備える頂部側パーツ１２１と、底部１０５、底部側筒状部１２９及び嵌合用窪み１３１を備える底部側パーツ１２７とから形成されている。
【００５４】
回転部７は、頂部側パーツ１２１の頂部側筒状部１２３を頂部１０３側から、底部側パーツ１２７の底部側筒状部１２９を底部１０５側から、底部側第１連結部１１３の第１軸孔１０９と、第２連結部の第２軸孔１１７と、頂部側第１連結部１１１の第１軸孔１０９と、圧縮コイルバネ１３２の中空部分とに通し、頂部側パーツ１２１の、一対の嵌合用突起１２５を、底部側パーツ１２７の、一対の嵌合用窪み１３１と嵌合させることにより形成されている。押込部１０１の連結軸１１９は、頂部側パーツ１２１の頂部側筒状部１２３と、底部側パーツ１２７の底部側筒状部１２９とから構成されている。
【００５５】
図２に、押込部１０１を押込んでいない、すなわち、押込部１０１が初期深さ位置：Ｄ0に配置された回転部７が示されている。図３に、押込部１０１を切替え深さ位置：ＤCまで押込んだ回転部７が示されている。
【００５６】
図２に示される、初期深さ位置：Ｄ0に配置された押込部１０１は、使用者が、押込部１０１の頂部１０３を、切替え深さ位置：ＤCまで押し込むと、図３に示される、切替え深さ位置：ＤCまで押込まれた押込部１０１を形成し、そして図３に示される、切替え深さ位置：ＤCまで押込まれた押込部１０１は、使用者が押込部１０１の頂部１０３の押込みを解除すると、押込部１０１が、圧縮コイルバネ１３２の復元力により、初期深さ位置：Ｄ0に戻る。
【００５７】
押込部１０１は、連結軸１１９の外周面に、２つの回転制御用突起１３３（回転制御用突起１３３ａ及び回転制御用突起１３３ｂ）を備えている。２つの回転制御用突起１３３は、後述する８つの回転制御用窪み１４３と嵌合することにより、第１アーム部５及び第２アーム部９のアーム角度θを固定する部材である。２つの回転制御用突起１３３（回転制御用突起１３３ａ及び回転制御用突起１３３ｂ）は、側面部１３５（側面部１３５ａ及び側面部１３５ｂ）と、深さ方向ＤＤの深い側の端部に配置されたスライド部１３７（スライド部１３７ａ及びスライド部１３７ｂ）とを備えている。また、側面部１３５（側面部１３５ａ及び側面部１３５ｂ）は、回転軸線ＲＡから最も遠い位置に存在する遠位部１３９（遠位部１３９ａ及び遠位部１３９ｂ）を備えている。
【００５８】
具体的には、回転制御用突起１３３ａは、回転軸線ＲＡと直交する方向に突出し且つ回転軸線ＲＡの方向に延びる側面部１３５ａと、深さ方向ＤＤの深い側の端部（押込部１０１の底部１０５側の端部）に配置されたスライド部１３７ａとを備えている。側面部１３５ａは、回転軸線ＲＡから最も遠い位置に存在する遠位部１３９ａを備えている。
また、回転制御用突起１３３ｂは、回転軸線ＲＡと直交する方向に突出し且つ回転軸線ＲＡの方向に延びる側面部１３５ｂと、深さ方向ＤＤの深い側の端部（押込部１０１の底部１０５側の端部）に配置されたスライド部１３７ｂとを備えている。側面部１３５ｂは、回転軸線ＲＡから最も遠い位置に存在する遠位部１３９ｂを備えている。
【００５９】
回転制御用突起１３３ａ及び回転制御用突起１３３ｂは、回転方向ＲＤに、９０°間隔で配置されている。回転制御用突起１３３ａ及び回転制御用突起１３３ｂのそれぞれは、回転軸線ＲＡと直交する方向の外面断面形状が、頂点が回転軸線ＲＡの外方を向いている略三角形である。
図５に示されるように、回転制御用突起１３３ａ及び回転制御用突起１３３ｂのそれぞれは、押込部１０１を構成する底部側パーツ１２７の底部側筒状部１２９の外周面に形成されている。
【００６０】
図６に示されるように、底部側第１連結部１１３は、第１軸孔１０９の外周に、押込部１０１の回転制御用突起１３３（回転制御用突起１３３ａ及び回転制御用突起１３３ｂ）と噛み合う固定用窪み１４１を備えている。第１実施形態では、固定用窪み１４１は計４つ存在し、計４つの固定用窪み１４１のそれぞれが、回転方向ＲＤに、９０°間隔で配置されている。計４つの固定用窪み１４１のそれぞれは、回転軸線ＲＡと直交する方向の内面断面形状が、頂点が回転軸線ＲＡの外方を向いている略三角形であり、２つの回転制御用突起１３３のそれぞれの略三角形の外面断面形状と略同一である。
【００６１】
なお、第１連結部１０７（頂部側第１連結部１１１及び底部側第１連結部１１３）は、押込部１０１（回転制御用突起１３３）と一緒に回転方向ＲＤに回転する部材であるため、固定用窪み１４１は、回転制御用突起１３３（回転制御用突起１３３ａ及び回転制御用突起１３３ｂ）と対応する位置に、計２つ存在すればよい。
図６に示されるように、頂部側第１連結部１１１は、第１軸孔１０９に、固定用窪みを備えていない。
【００６２】
図７及び図８に示されるように、第２連結部１１５は、第２軸孔１１７の外周に、４５°間隔で配置された、８つの回転制御用窪み１４３を備えている。８つの回転制御用窪み１４３のそれぞれは、回転制御用突起１３３のスライド部１３７を受け止めるように構成された基部１４５と、回転制御用突起１３３の側面部１３５と嵌合することによりアーム角度を固定する回転制御用壁部１４７とを備えている。なお、基部１４５は、回転制御用壁部１４７よりも内方に位置する。また、第２連結部は、所定の開放方向傾斜部１５５を備えている。
なお、８つの回転制御用窪み１４３のそれぞれに存在する計８つの回転制御用壁部１４７のそれぞれの、回転軸線ＲＡと直交する方向の内面断面形状は、頂点が回転軸線ＲＡの外方を向いている略三角形であり、回転制御用突起１３３の略三角形の断面形状と略同一である。
【００６３】
具体的には、８つの回転制御用窪み１４３を、収納形態における清掃具１において、回転制御用突起１３３ａと嵌合しているものから、開放方向ＯＤに順番に、第１回転制御用窪み１４３ａ、第２回転制御用窪み１４３ｂ、第３回転制御用窪み１４３ｃ、（中略）、第８回転制御用窪み１４３ｈと称する。なお、第１回転制御用窪み１４３ａ〜第８回転制御用窪み１４３ｈを、第ｎ回転制御用窪み１４３ｎ（ｎ＝ａ〜ｈ）と称する場合がある。他の部材についても同様である。
【００６４】
第ｎ回転制御用窪み１４３ｎ（ｎ＝ａ〜ｈ）は、回転制御用突起１３３（回転制御用突起１３３ａ及び回転制御用突起１３３ｂ）のスライド部１３７（スライド部１３７ａ及びスライド部１３７ｂ）を受け止めるように構成された第ｎ基部１４５ｎ（ｎ＝ａ〜ｈ）と、回転制御用突起１３３（回転制御用突起１３３ａ及び回転制御用突起１３３ｂ）の側面部１３５（側面部１３５ａ及び側面部１３５ｂ）と嵌合することによりアーム角度θを固定する第ｎ回転制御用壁部１４７ｎ（ｎ＝ａ〜ｈ）とを備えている。
【００６５】
また、第ｎ回転制御用壁部１４７ｎ（ｎ＝ａ〜ｈ）は、回転制御用突起１３３（回転制御用突起１３３ａ及び回転制御用突起１３３ｂ）の遠位部１３９（遠位部１３９ａ及び遠位部１３９ｂ）に対応する第ｎ遠位対応部１５３ｎ（ｎ＝ａ〜ｈ）であって、回転軸線ＲＡから最も遠いものを備えている。
さらに、第ｎ回転制御用壁部１４７ｎ（ｎ＝ａ〜ｈ）は、第ｎ遠位対応部１５３ｎ（ｎ＝ａ〜ｈ）を境界として、開放方向ＯＤに存在する第ｎ開放方向壁部１４９ｎ（ｎ＝ａ〜ｈ）と、閉鎖方向ＣＤに存在する第ｎ閉鎖方向壁部１５１ｎ（ｎ＝ａ〜ｈ）とに区画される。
なお、図８には、第ｎ基部１４５ｎ（ｎ＝ａ〜ｈ）、第ｎ回転制御用壁部１４７ｎ（ｎ＝ａ〜ｈ）、第ｎ開放方向壁部１４９ｎ（ｎ＝ａ〜ｈ）、第ｎ閉鎖方向壁部１５１ｎ（ｎ＝ａ〜ｈ）のうち、一部のみ表示されている。
【００６６】
第１回転制御用窪み１４３ａの開放方向ＯＤ側の端部（第２回転制御用窪み１４３ｂ側の端部）において、第１回転制御用壁部１４７ａの、深さ方向ＤＤの深さ位置が、第１基部１４５ａの、深さ方向ＤＤの深さ位置と略同一である。
また、第３回転制御用窪み１４３ｃの開放方向ＯＤ側の端部（第４回転制御用窪み１４３ｄ側の端部）において、第３回転制御用壁部１４７ｃの、深さ方向ＤＤの深さ位置が、第３基部１４５ｃの、深さ方向ＤＤの深さ位置と略同一である。
【００６７】
第２連結部１１５は、収納形態における清掃具１において、第１回転制御用窪み１４３ａの第１回転制御用壁部１４７ａの第１遠位対応部１５３ａと交差する点を始点１５７ａとし、第２回転制御用窪み１４３ｂの第２回転制御用壁部１４７ｂに終点１５９ａを有する開放方向傾斜部１５５ａを備えている。換言すると、開放方向傾斜部１５５ａは、第１回転制御用窪み１４３ａの第１開放方向壁部１４９ａと、第２回転制御用窪み１４３ｂの第２閉鎖方向壁部１５１ｂとに渡って存在している。
第１基部１４５ａ、第２基部１４５ｂ及び始点１５７ａは、深さ方向ＤＤの深さ位置が略同一である。
【００６８】
同様に、第２連結部１１５は、収納形態における清掃具１において、第３回転制御用窪み１４３ｃの第３回転制御用壁部１４７ｃの第３遠位対応部１５３ｃと交差する点を始点１５７ｂとし、第４回転制御用窪み１４３ｄの第４回転制御用壁部１４７ｄに終点１５９ｂを有する開放方向傾斜部１５５ｂを備えている。換言すると、開放方向傾斜部１５５ｂは、第３回転制御用窪み１４３ｃの第３開放方向壁部１４９ｃと、第４回転制御用窪み１４３ｄの第４閉鎖方向壁部１５１ｄとに渡って存在している。
基部１４５ａ、基部１４５ｂ及び始点１５７ａは、深さ方向ＤＤの深さ位置が略同一である。
【００６９】
図９に示されるように、収納形態における清掃具１では、回転制御用突起１３３ａ及び回転制御用突起１３３ｂが、それぞれ、第１回転制御用窪み１４３ａ及び第３回転制御用窪み１４３ｃと嵌合している。次いで、使用者が、押込部（図２等を参照）を押込むことなく、図１２に示されるように、清掃具１を収納形態から清掃形態に変形させるために、アーム角度θを０°から大きくすると、図１０に示されるように、回転制御用突起１３３ａ及び回転制御用突起１３３ｂが、それぞれ、開放方向傾斜部１５５ａ及び開放方向傾斜部１５５ｂ上をスライドし、それぞれ、第２回転制御用窪み１４３ｂ及び第４回転制御用窪み１４３ｄの方向に移動し始めるとともに、押込部（図２等を参照）が切り替え深さ位置に向かって押込まれる。
【００７０】
次いで、開放方向傾斜部１５５ａ及び開放方向傾斜部１５５ｂ上をスライドしている回転制御用突起１３３ａ及び回転制御用突起１３３ｂが、それぞれ、開放方向傾斜部１５５ａ及び開放方向傾斜部１５５ｂのスライドを終え、第２閉鎖方向壁部１５１ｂ及び第４閉鎖方向壁部１５１ｄを超えると、図１１に示されるように、回転制御用突起１３３ａ及び回転制御用突起１３３ｂが、それぞれ、第２基部１４５ｂ及び第４基部１４５ｄに接触するまで、第２回転制御用窪み１４３ｂ及び第４回転制御用窪み１４３ｄを、深さ方向ＤＤの浅い位置に移動し、第２回転制御用窪み１４３ｂ及び第４回転制御用窪み１４３ｄと嵌合するとともに、押込部（図２等を参照）が初期深さ位置に戻る。その結果、アーム角度が４５°である清掃具１は、押込部（図２等を参照）を押込まない限り、アーム角度θを大きくすることも、小さくすることもできなくなる。
【００７１】
回転制御用突起１３３ａ及び回転制御用突起１３３ｂが、それぞれ、第２基部１４５ｂ及び第４基部１４５ｄに接触する際に接触音が発するか、又は押込部（図２等を参照）が切替え深さ位置から初期深さ位置まで往復するため、使用者が、アーム角度θを変更するためには、押込部（図２等を参照）を押込む必要が有ることを直感的に理解することができる。
【００７２】
清掃具１は、押込部１０１を押込むことによりアーム角度θを４５°より大きくすることができる。以下、押込部１０１を押込むことによりアーム角度θを変更する手法について説明する。
なお、清掃具１は、押込部１０１を押込むことによりアーム角度θを０°から４５°に変更することもできる。
【００７３】
図２に示されるように、押込部１０１が初期深さ位置：Ｄ0に配置されている場合には、押込部１０１の回転制御用突起１３３（回転制御用突起１３３ａ及び回転制御用突起１３３ｂ）が、底部側第１連結部１１３の固定用窪み１４１と噛合い、そして押込部１０１の回転制御用突起１３３が、第２連結部１１５の８つの回転制御用窪み１４３のうち２つと噛み合っているので、アーム角度θは変更不可能である。
【００７４】
一方、押込部１０１を、深さ方向ＤＤに、切替え深さ位置：ＤCまで押込むと、図３に示されるように、押込部１０１の回転制御用突起１３３（回転制御用突起１３３ａ及び回転制御用突起１３３ｂ）も、深さ方向ＤＤに押込まれ、押込部１０１の回転制御用突起１３３（回転制御用突起１３３ａ及び回転制御用突起１３３ｂ）が、第２連結部１１５の回転制御用窪み１４３（第ｎ回転制御用窪み１４３ｎ）と噛み合わなくなるが、底部側第１連結部１１３の固定用窪み１４１と噛み合っている状態となる。その結果、押込部１０１と、第１連結部１０７（頂部側第１連結部１１１及び底部側第１連結部１１３）を介して連結している第２アーム部９は、押込部１０１に対して回転することができないが、押込部１０１と、第２連結部１１５を介して連結している第１アーム部５、押込部１０１に対して回転することができるようになり、アーム角度θが変更可能になる。
なお、押込部１０１は、深さ方向ＤＤに、切替え深さ位置：ＤCを超え、最大深さ位置（図示せず）まで押込むことができる。
【００７５】
押込部１０１は、切替え深さ位置：ＤC、並びに最大深さ位置（図示せず）まで押込んでも、底部側第１連結部１１３の固定用窪み１４１と噛み合っているので、アーム角度θを変更する場合には、押込部１０１は、第２アーム部９と一緒に回転することとなる。
【００７６】
使用者が、アーム角度θの変更を終えて、押込部１０１の頂部１０３の押込みを解除すると、圧縮コイルバネ１３２の作用により、押込部１０１が初期深さ位置：Ｄ0に戻り、その際に、押込部１０１の回転制御用突起１３３（回転制御用突起１３３ａ及び回転制御用突起１３３ｂ）が、底部側第１連結部１１３の固定用窪み１４１と噛合い、そして押込部１０１の回転制御用突起１３３（回転制御用突起１３３ａ及び回転制御用突起１３３ｂ）が、第２連結部１１５の８つの回転制御用窪み１４３（第ｎ回転制御用窪み１４３ｎ）のうち、回転前とは異なる回転制御用窪み１４３（第ｎ回転制御用窪み１４３ｎ）と噛み合い、アーム角度θが変更不可能となる。
【００７７】
頂部側第１連結部１１１は、その最も浅い深さ位置に、使用者が押込部１０１の頂部１０３を押し込む際に触れる可能性のある部分である、頂部側把持部１６１を備えている。また、底部側第１連結部１１３は、その最も深い深さ位置に、使用者が押込部１０１を押込む際に触れる可能性のある部分である、底部側把持部１６３を備えている。頂部側把持部１６１及び底部側把持部１６３のそれぞれは、回転方向ＲＤに一周している。
【００７８】
図２に示されるように、初期深さ位置：Ｄ0に配置された押込部１０１では、底部１０５が、深さ方向ＤＤにおいて、底部側第１連結部１１３の底部側把持部１６３よりも、押込部１０１の切替え深さ位置：ＤCよりも大きな長さ：Ｌ0だけ浅い深さ位置に配置されるように構成されている。従って、図３に示されるように、押込部１０１を切替え深さ位置：ＤCまで押込むと、底部１０５が、底部側第１連結部１１３の底部側把持部１６３よりも、深さ方向ＤＤにおいて、長さ：Ｌ1だけ浅い深さ位置に配置されることとなる。そうすることにより、使用者は、押込部１０１を、あたかも、押し込むように操作できる。また、使用者が、押込部１０１の頂部１０３を、押込部１０１の切替え深さ位置：ＤCまで押込んだ場合でも、底部１０５側に添えた指が、底部１０５から押し出されにくい。
【００７９】
また、回転部７は、深さ方向ＤＤにおいて、底部１０５より深さの深い領域に、回転部７を構成する構成部材、特に、押込部１０１とともに押込まれない部材を備えていない。そうすることにより、回転部７の構造が単純であるにもかかわらず、押込部１０１を、あたかも、押し込むように操作できる。
【００８０】
押込部１０１の頂部１０３は、頂部１０３の周縁に配置された周縁部１６５と、周縁部１６５に囲まれた突出部１６７とを備えている。換言すると、突出部１６７は、深さ方向ＤＤにおいて、周縁部１６５よりも浅い深さ位置に配置されている。また、頂部側把持部１６１は、深さ方向ＤＤにおいて、初期深さ位置：Ｄ0に配置された押込部１０１の周縁部１６５よりも深い深さ位置に配置されているので、頂部側把持部１６１は、深さ方向ＤＤにおいて、初期深さ位置：Ｄ0における押込部１０１の突出部１６７の位置よりも深い深さ位置に配置されるように構成されている。そうすることにより、使用者が、押込部１０１の突出部１６７を、頂部側把持部１６１の影響を受けずに押し込みやすくなる。また、使用者が、押込部１０１の頂部１０３を押し込む際に、使用者の指が、頂部側把持部１６１と、押込部１０１の周縁部１６５との間に巻き込まれにくくなる。
【００８１】
上述のように、第１連結部１０７（頂部側第１連結部１１１及び底部側第１連結部１１３）が、第２アーム部９と連結されており、そして第２連結部１１５が、第１アーム部５と連結されている。そうすることにより、使用者が、例えば、右手の親指の指先を押込部１０１の頂部１０３及び頂部側把持部１６１に添え、右手の人差し指を底部側把持部１６３に添えるとともに、右手の残りの部分で第２アーム部９を把持した際に、押込部１０１の頂部１０３、頂部側把持部１６１及び底部側把持部１６３が、第２アーム部９、ひいては右手とともに回転するので、右手の親指及び人差し指が、押込部１０１の頂部１０３、頂部側把持部１６１及び底部側把持部１６３との間で摩擦を受けにくい。
【００８２】
第１アーム部５は、伸縮性を有する。伸縮性を有するアーム部の構造は公知であることから、本明細書では、説明を省略する。
【００８３】
図１２及び図１３を用いて、第１実施形態に従う清掃具１の、収納形態から清掃形態への変形の手順の一例を説明する。
清掃体取付部（図示せず）に清掃体５１が取付けられた、収納形態にある清掃具１を準備する。
図１２に示されるように、使用者は、左手で、清掃具１の第１アーム部５の把持部３を把持し、そして右手で第２アーム部９を把持し、例えば、右手を右に引くことにより、アーム角度θを、０°から４５°に簡易に変更することができる。
【００８４】
そうすることにより、例えば、使用者が、右手の親指の指先を、回転部７の押込部１０１の頂部（図２等を参照）及び頂部側把持部（図２等を参照）に添え、右手の人差し指を回転部７の押込部１０１の底部側把持部（図２等を参照）に添えながら、右手の残りの部分で、第２アーム部９を把持するような、両腕の肘が近づくようなつらい姿勢をとる必要がない。
【００８５】
また、清掃具１を使用することが初めての使用者の場合には、その変形の手順を理解していないことがあるが、そのような場合であっても、アーム角度θを、０°から４５°に変更した際に、接触音がするか、又は押込部１０１が切替え深さ位置から初期深さ位置まで往復するため、使用者が、アーム角度θを変更するためには、押込部１０１を押込めばよいことを直感的に理解することができる。
【００８６】
次いで、図１３に示されるように、右手の親指の指先を、回転部７の押込部１０１の頂部（図２等を参照）及び頂部側把持部（図２等を参照）に添え、右手の人差し指を回転部７の押込部１０１の底部側把持部（図２等を参照）に添えながら、右手の残りの部分で、第２アーム部９を把持しながら、右手の親指の指先で、押込部１０１の頂部１０３を押込み、回転部７を回転不可能状態から回転可能状態に切替え、回転部７を、アーム角度θが所望の角度となるように回転させることができる。
次いで、第１アーム部５を伸縮させ、清掃具１を清掃形態に変形することができる。
以上のように、第１実施形態に従う清掃具１は、収納形態から清掃形態への変形が容易である。
【００８７】
第１実施形態では、回転部７が、連結部として、２つの第１連結部１０７（頂部側第１連結部１１１及び底部側第１連結部１１３）と、それらの間の第２連結部１１５とを備えているが、本開示の清掃具における回転部は、２以上の第１連結部（頂部側第１連結部と、底部側第１連結部とを含む）と、１又は複数の第２連結部とを備えている限り、第１連結部及び第２連結部のそれぞれの個数、それらの位置関係は、特に制限されない。例えば、回転部が、３つの第１連結部（頂部側第１連結部と、底部側第１連結部をと含む）と、２つの第２連結部とを備えており、３つの第１連結部と、２つの第２連結部とが交互に配置されていてもよい。また、回転部が、２つの第１連結部（頂部側第１連結部及び底部側第１連結部）と、２つの第２連結部とを備えており、お互いに離間している２つの第２連結部が、２つの第１連結部の間に配置されていてもよい。
【００８８】
第１実施形態では、押込部１０１が、２つの回転制御用突起１３３（回転制御用突起１３３ａ及び回転制御用突起１３３ｂ）を備えているが、本開示の清掃具では、押込部が備える回転制御用突起の数は特に制限されない。押込部が備える回転制御用突起の数としては、例えば、１つ、２つ、３つ、４つ等が挙げられる。押込部が備える回転制御用突起の数が増えることにより、回転部の回転を制御しやすくなる。
【００８９】
本開示の清掃具では、上記回転制御用突起は、押込部の連結軸の外周面に配置されていることが好ましい。
本開示の清掃具では、上記回転制御用突起は、回転軸線と直交する方向に突出し且つ回転軸線の方向に延びる側面部と、深さ方向の深い側の端部に配置されたスライド部とを備えており、そして上記側面部が、回転軸線から最も遠い遠位部を備えていることが好ましい。
【００９０】
本開示の清掃具では、回転制御用突起の、回転軸線と直交する方向の外面断面形状は、点状の遠位部、又は線状（例えば、円弧）の遠位部を有することができる。
本開示の清掃具では、回転制御用突起の、回転軸線と直交する方向の外面断面形状は、遠位部から遠ざかるについて連結軸に近づく形状を有することが好ましい。そうすることにより、回転制御用突起のスライド部が、第２連結部の開放方向傾斜部の上をスライドしやすくなる。
【００９１】
本開示の清掃具では、第２連結部は、複数の回転制御用窪みを備える。複数の回転制御用窪みは、第２連結部の第２軸孔に沿って配置されていることが好ましく、そして第２軸穴に沿って、等間隔（等角度）で配置されることがより好ましい。また、複数の回転制御用窪みは、第２連結部の、押込部の底部側に配置されることが好ましい。
【００９２】
また、本開示の清掃具では、複数の回転制御用窪みのそれぞれは、回転制御用突起のスライド部を受け止めるように構成された基部と、回転制御用突起の側面部と嵌合することによりアーム角度を固定する回転制御用壁部とを備えている。上記基部は、上記回転制御用壁部よりも、深さ方向において浅い深さ位置に配置されていることが好ましい。
上記回転制御用壁部は、回転制御用突起の遠位部に対応する遠位対応部を備えていることが好ましい。
上記回転制御用壁部の、回転軸線と直交する方向の内面断面形状は、回転制御用突起の、回転軸線と直交する方向の外面断面形状と対応していることが好ましく、そして相似形を有することがより好ましく、そして略同一形状を有することがより好ましい。
【００９３】
本開示の清掃具では、第２連結部は、第１回転制御用窪みの第１回転制御用壁部において、押込部を押込むことなく、回転制御用突起のスライド部をスライドさせることにより、回転制御用突起を、第１回転制御用窪みから第２回転制御用窪みに移動させることができる開放方向傾斜部を備えている。
【００９４】
なお、本開示では、第１回転制御用窪みは、収納形態における清掃具において、回転制御用突起と嵌合している回転制御用窪みを意味し、そして第２回転制御用窪みは、第１回転制御用窪みの、開放方向に隣接する回転制御用窪みを意味する。
また、第１回転制御用壁部及び第２回転制御用壁部は、それぞれ、第１回転制御用窪み及び第２回転制御用窪みが備える回転制御用壁部を意味する。さらに、第１遠位対応部及び第２遠位対応部は、それぞれ、第１回転制御用壁部及び第２回転制御用壁部が備える遠位対応部を意味する。その他の部材についても同様である。
なお、本開示の清掃具が、複数の回転制御用突起を備える場合には、複数の回転制御用窪みは、複数の第１回転制御用窪みと、複数の第２回転制御用窪みとを備えることができる。
【００９５】
本開示の清掃具では、上記開放方向傾斜部は、第１回転制御用壁部に少なくとも配置されており、好ましくは第１回転制御用壁部及び第２回転制御用壁部に配置されており、より好ましくは第１回転制御用窪みの第１回転制御用壁部の第１遠位対応部と、第２回転制御用窪みの第２回転制御用壁部の第２遠位対応部との間に配置されている。また、上記開放方向傾斜部の始点は、第１回転制御用窪みの第１回転制御用壁部の第１遠位対応部と交差する点に存在することが好ましく、そして上記開放方向傾斜部の終点は、第２回転制御用壁部の第２閉鎖方向壁部に配置されていることが好ましい。そうすることにより、使用者が、収納形態の清掃具において、押込部を押込むことなく、アーム角度をスムーズに変更しやすくなる。
なお、上記開放方向傾斜部の終点は、第２回転制御用窪みの第２回転制御用壁部の第２遠位対応部と交差する点に存在していてもよい。
【００９６】
本開示の清掃具では、第１遠位対応部において、第１回転制御用壁部は、深さ方向において、第１回転制御用窪みの第１基部の、深さ方向の深さ位置と同一の深さ位置又はそれよりも浅い深さ位置に配置されていることが好ましい。そうすることにより、使用者が、収納形態の清掃具において、押込部を押込むことなく、アーム角度をスムーズに変更しやすくなる。
【００９７】
本開示の清掃具では、第１回転制御用窪みの開放方向側の端部（第２回転制御用窪み側の端部）において、第１回転制御用壁部は、深さ方向において、第１回転制御用窪みの第１基部の、深さ方向の深さ位置と同一の深さ位置又はそれよりも浅い深さ位置に配置されていることが好ましい。そうすることにより、使用者が、収納形態の清掃具において、押込部を押込むことなくアーム角度をスムーズに変更しやすくなる。
【００９８】
本開示の清掃具が、複数の回転制御用突起を備える場合、例えば、ｍ個の回転制御用突起を備える場合には、ｍ個の回転制御用突起は、（３６０／ｍ）°の間隔（角度）で配置されていないことが好ましい。例えば、清掃具が２つの回転制御用突起を備える場合には、回転制御用突起は、１８０°の間隔（角度）で配置されていないことが好ましい。そうすることにより、収納形態における清掃具においてのみ、押込部を押込むことなくアーム角度を変更することができるようになる。換言すると、清掃形態において、清掃具が清掃すべき箇所に不意に接触した場合等に、アーム角度が変更しにくくなる。
【００９９】
本開示の清掃具では、複数の回転制御用窪みにおいて、開放方向傾斜部は、第１回転制御用壁部に配置されていればよく、そして他の任意の回転制御用壁部に、開放方向傾斜部が配置されていてもよい。
【０１００】
本開示の清掃具では、第２回転制御用窪みの第２回転制御用壁部が、押込部を押込むことなく、回転制御用突起のスライド部をスライドさせることにより、回転制御用突起を、第２回転制御用窪みから第１回転制御用窪みに移動させることができる閉鎖方向傾斜部を備えていてもよい。そうすることにより、清掃具を、所定の位置（第２回転制御用窪みの位置）から折りたたみ形態まで閉鎖可能となり、使用者が、清掃具を折り畳む際に、第１アーム部及び第２アーム部を強く把持する必要がなく、第１アーム部及び第２アーム部の間に指を挟みにくくなる。
【０１０１】
第１実施形態では、底部側把持部１６３が、深さ方向ＤＤにおいて、切替え深さ位置：ＤCに配置された押込部１０１の底部１０５よりも長さ：Ｌ1だけ浅い深さ位置に配置されるように構成されているが、本開示の清掃具では、底部側把持部が、深さ方向において、切替え深さ位置に配置される押込部の底部と同一の深さ位置又は底部よりも深い深さ位置に配置されるように構成されていてもよい。そうすることにより、押込部を押込み、回転部を回転不可能状態から回転可能状態に切替えた際に、押込部の底部が、使用者の指に触れにくく、押込部を、あたかも、押し込むように操作できるようになる。
【０１０２】
本開示の清掃具では、押込部を最大深さ位置まで押込んだ場合に、深さ方向において、押込部の底部が、底部側把持部よりも、押込部の、回転軸線方向の長さの、好ましくは５％未満、より好ましくは３％未満、さらに好ましくは２％未満、そしてさらにいっそう好ましくは１％未満、深い深さ位置に配置されるように構成されていてもよい。押込部を最大深さ位置まで押込んだ場合に、押込部の底部が、若干、底部側把持部より突出していても、使用者が、押込部を、あたかも押し込むように操作できるからである。
【０１０３】
本開示の清掃具では、押込部を最大深さ位置まで押込んだ場合に、深さ方向において、底部側把持部が、押込部の底部と同一の深さ位置又は底部よりも深い深さ位置に配置されるように構成されることがより好ましい。使用者の指が、押込部の底部から押し出されにくくなり、押込部を、あたかも、押し込むように操作できる観点からである。
なお、深さ方向における、押込部の底部の深さ位置と、底部側把持部の深さ位置は、それらの最も深い深さ位置を基準とする。
【０１０４】
本開示の清掃具では、回転部が押込部を備え、そして押込部を押込むことにより回転部の回転不可能状態と、回転可能状態とを切替えることができれば、回転部の構造は、第１実施形態のものに限定されるものではない。
【０１０５】
本開示の清掃具では、押込部が、上記アーム角度を変更する際に、頂部側第１連結部及び底部側第１連結部とともに回転する、又は第２連結部とともに回転するように構成されることができるが、頂部側第１連結部及び底部側第１連結部とともに回転するように構成されることが好ましい。アーム角度を変更する際に、押込部の回転部の頂部側部分と、底部側部分とが連動して回転することになるので、使用者の指が、連動して回転しない部材に引っ張られにくくなるからである。
【０１０６】
第１実施形態では、２以上の第１連結部が第２アーム部に連結され、そして第２連結部が第１アーム部に連結していたが、本開示の清掃具では、２以上の第１連結部と、第２連結部とのそれぞれが連結するアーム部は任意であり、２以上の第１連結部が第１アーム部に連結され、そして第２連結部が第２アーム部に連結されていてもよい。
２以上の第１連結部が第２アーム部と連結している場合には、使用者が、例えば、右手の親指の指先を押込部の頂部に添え、右手の人差し指を底部側把持部に添え、右手の残りの部分で第２アーム部を把持した際に、頂部側把持部及び底部側把持部が、第２アーム部、ひいては右手とともに回転するので、右手の親指及び人差し指が、頂部側把持部及び底部側把持部との間で摩擦を受けにくい。
【０１０７】
本開示の清掃具では、回転部が、深さ方向において、底部より深さの深い領域に、押込部とともに押込まれない部材を備えていないことが好ましい。回転部の構造が単純であるにもかかわらず、押込部を、あたかも、押し込むように操作できるからである。
【０１０８】
本開示の清掃具では、底部側把持部の、回転軸線と直交する方向における内径が、任意の方向において、好ましくは２０ｍｍ以下、より好ましくは１８ｍｍ以下、そしてさらに好ましくは１６ｍｍ以下である。そうすることにより、使用者の指が底部側把持部を把持した際に、底部側把持部で囲まれた空隙に入り込みにくくなり、使用者の指が押込部の底部に触れにくくなる。
【０１０９】
また、本開示の清掃具では、底部側把持部の、回転軸線と直交する方向における内径が、任意の方向において、好ましくは１０ｍｍ以上、より好ましくは１２ｍｍ以上、そしてさらに好ましくは１３ｍｍ以上である。押込部の頂部の押し込みやすさ観点からである。
【０１１０】
本開示の清掃具では、押込部の頂部が、頂部の周縁に配置された周縁部と、周縁部に囲まれ且つ周縁部から底部と反対側に突出している突出部とを備え、頂部側把持部が、深さ方向において、初期深さ位置に配置された押込部の突出部よりも深い深さ位置に配置されるように構成されていることが好ましい。押込部の突出部の押し込みやすさの観点からである。
上述の位置関係は、押込部を切替え深さ位置まで押込んだ場合に満たすことがより好ましく、そして押込部を最大深さ位置まで押込んだ場合に満たすことがより好ましい。押込部の突出部の押し込みやすさの観点からである。
【０１１１】
本開示の清掃具では、押込部の頂部が、上述の周縁部及び突出部を備える場合に、押込部の頂部側把持部が、深さ方向において、初期深さ位置に配置された押込部の周縁部と同一の深さ位置又は浅い深さ位置に配置されるように構成されていることが好ましい。使用者が、押込部の頂部を押し込む際に、使用者の指が、頂部側把持部と、押込部との間に巻き込まれにくくなるからである。
なお、深さ方向における、押込部の頂部の周縁部及び突出部の位置と、頂部側把持部の位置は、それらの最も浅い深さ位置を基準とする。
【０１１２】
本開示の清掃具では、第１アーム部が、第１アーム部の軸線方向に伸縮可能であっても、そして伸縮不可能であってもよいが、第１アーム部の軸線方向に伸縮可能であることが好ましい。回転部を回転させ、次いで、第１アーム部を伸縮させること、あるいは第１アーム部を伸縮させ、次いで、回転部を回転させることが簡易であるからである。
また、伸縮可能な第１アーム部としては、第１実施形態に記載のものに限定されず、当技術分野で公知の構造を採用することができる。
【０１１３】
本開示の清掃具では、清掃体取付部は、特に制限されず、公知の構造、例えば、上述の公報に記載される構造を有することができる。
本開示の清掃具では、清掃体は、使い捨てのもの、洗浄等を経て繰り返し使用するのもの等、任意の公知の清掃体であることができる。
【符号の説明】
【０１１４】
１    清掃具
３    把持部
５    第１アーム部
７    回転部
９    第２アーム部
１１    清掃体取付部
５１    清掃体
１０１    押込部
１０３    頂部
１０５    底部
１０７    第１連結部
１０９    第１軸孔
１１１    頂部側第１連結部
１１３    底部側第１連結部
１１５    第２連結部
１１７    第２軸孔
１１９    連結軸
１２１    頂部側パーツ
１２３    頂部側筒状部
１２５    嵌合用突起
１２７    底部側パーツ
１２９    底部側筒状部
１３１    嵌合用窪み
１３２    圧縮コイルバネ
１３３，１３３ａ，１３３ｂ    回転制御用突起
１３５，１３５ａ，１３５ｂ    側面部
１３７，１３７ａ，１３７ｂ    スライド部
１３９，１３９ａ，１３９ｂ    遠位部
１４１    固定用窪み
１４３    回転制御用窪み
１４３ｎ    第ｎ回転制御用窪み
１４５    基部
１４５ｎ    第ｎ基部
１４７    回転制御用壁部
１４７ｎ    第ｎ回転制御用壁部
１４９    開放方向壁部
１４９ｎ    第ｎ開放方向壁部
１５１    閉鎖方向壁部
１５１ｎ    第ｎ閉鎖方向壁部
１５３    遠位対応部
１５３ｎ    第ｎ遠位対応部
１５５，１５５ａ，１５５ｂ    開放方向傾斜部
１６１    頂部側把持部
１６３    底部側把持部
１６５    周縁部
１６７    突出部
θ    アーム角度
ＲＡ    回転軸線
ＲＤ    回転方向
ＯＤ    開放方向
ＣＤ    閉鎖方向
【図１】
2019162383.tif 000003
【図２】
2019162383.tif 000004
【図３】
2019162383.tif 000005
【図４】
2019162383.tif 000006
【図５】
2019162383.tif 000007
【図６】
2019162383.tif 000008
【図７】
2019162383.tif 000009
【図８】
2019162383.tif 000010
【図９】
2019162383.tif 000011
【図１０】
2019162383.tif 000012
【図１１】
2019162383.tif 000013
【図１２】
2019162383.tif 000014
【図１３】
2019162383.tif 000015